(57)【特許請求の範囲】
【請求項１】
遊技盤(1)の遊技領域(3)に、遊技球(20)を入賞検出して図柄変動条件を発生し得る始動口(6)と、該始動口(6)での入賞検出条件に基づいて図柄変動表示停止作動を行い得る図柄表示装置(12)及び前記始動口(6)で入賞検出記憶された保留球数を機械的に駆動制御表示し得る保留球数表示装置(D)を装備した複合装置(A)とが配置された遊技機において、
前記複合装置(A)は、
前記遊技盤(1)の遊技領域(3)に装着されて前記図柄表示装置(12)の表面部(12a)の前面を左右の両側板(23)と底板(21)と天板とで窓枠状に囲う装置本体と、
該装置本体の左側部及び右側部に形成されて前記遊技領域(3)から流入した遊技球(20)を案内するワープ通路から、前記両側板(23)の前記図柄表示装置(12)寄りの端部位置に開設した球流入口(24)を介して遊技球(20)を前記底板(21)上面の球流路に受入れると共に、該底板(21)の下に位置し且つ底板(21)の中央部の真下に前記始動口(6)を配置した遊技領域(3)に向けて前記遊技球(20)を底板(21)の前縁側から導出するステージ(G)と、
該ステージ(G)の底板(21)の左側部と右側部とにおいて、前記各側の球流入口(24)から流入する遊技球(20)を底板(21)上に流通可能とした前記図柄表示装置(12)の表面部(12a)から前方に向けて遊技球(20)ほぼ１個分の間隔を置いた位置で、左右対称の状態にして横長に開口された一対のスリット(22)と、
該一対のスリット(22)に対応して前記底板(21)の下部に組込まれた前記保留球数表示装置(D)とを備えており、
該保留球数表示装置(D)は、
正逆転駆動可能な駆動モータ(M)に連結されて所定角度毎に回転される１本のカム軸(31)の左側軸部と右側軸部とに２組のカム片群(S)を左右対称状態で配備した駆動カム装置(C)と、
該駆動カム装置(C)の各組のカム片群(S)に対応して左右対称状態で配備されて前記保留球数を実数値で表示する２組の保留球数表示体群とを備え、
前記駆動カム装置(C)の各組のカム片群では、４個のカム片(S１〜S４)が夫々回転方向に亘るカム面角度の大きさが異なる形状に形成され、前記カム軸(31)の左右の外側端位置から内側中央位置に向けてカム面角度の大きいカム片(S１)から小さいカム片(S４)の順序で正回転方向に所定角度ずつの変位状態で離隔並列状に配置され、
前記各組の保留球数表示体群では、保留球の実数値を表示した４本１組の保留球数表示体(E１〜E４)が、前記ステージ(G)の底板(21)の各スリット(22)毎に左右順列状態で垂立に挿通されると共に、前記各カム片群の各カム片(S１〜S４)のカム面にカムフォロー部(25)を当接した状態で上下方向に出没可能に支持されて、前記底板(21)の上面に保留球の実数値が見える高さに突出した各組の各保留球数表示体(E１〜E４)で底板(21)上面の前記球流路を前後に仕切ると共に各組の各保留球数表示体(E１〜E４)同士の左右の間隔が、底板(21)上面の前記球流路を前後に連絡する拡縮変化可能な開口幅の誘導開口部(32)として構成され、
前記図柄表示装置(12)の図柄変動表示中に前記保留球数が１ずつ加増されることにおいて、前記保留球数表示装置(D)では、駆動モータ(M)の正転駆動制御に基づくカム軸(31)の所定角度毎の正回転により、駆動カム装置(C)における左右組のカム片群の両端外側位置のカム片(S１)から内側中央位置のカム片(S４)が所定角度ずつ正回動変位されることに対して、前記左右組の保留球数表示体群では、両端外側位置の保留球数表示体(E１)から内側中央位置の保留球数表示体(E４)が保留球数の実数値を示すものとして順次前記ステージ(G)の底板(21)の上面に突出され、左右の突出状態にある内側中央位置の保留球数表示体(E４)同士の間に前記誘導開口部(32)が、前記始動口(6)の直上方位置で遊技球１個のみを通過可能とする開口広さに形成されて、該誘導開口部(32)を通出する遊技球(20)を前記始動口(6)に向けて落下させ得るように設定し、
前記図柄表示装置(12)の図柄変動終了停止毎に前記保留球数が１ずつ減少されることにおいて、前記保留球数表示装置(D)では、駆動モータ(M)の逆転駆動制御に基づくカム軸(31)の所定角度毎の逆回動により、駆動カム装置(C)における左右組のカム片群の内側中央位置のカム片(S４)から両端外側位置のカム片(S１)が所定角度ずつ逆回動変位されることに対して、前記左右組の保留球数表示体群では、内側中央位置の保留球数表示体(E４)から両端外側位置の保留球数表示体(E１)が順次前記ステージ(G)の底板(21)の下面に完全に没入され、左右の内側端位置の保留球数表示体(E１〜E４)同士の左右間に、前記誘導開口部(32)が開口幅を段階的に広く構成されて、該誘導開口部(32)を通出する遊技球(20)を前記遊技領域(3)に落下させ得るように設定したことを特徴とする遊技機。
【発明の詳細な説明】
【０００１】
【発明の属する技術分野】
本発明は、図柄変動表示部に変動表示された図柄が所定の表示態様になると遊技者に特典を付与する構成の遊技機に関するものである。
【０００２】
【従来の技術】
例えば、パチンコ機において、球が始動口に入賞して図柄が変動表示して、その変動表示停止後に大当り図柄が表示されると、大入賞口が所定時間だけ開く等して、大当り遊技が開始されるようになっているものがある。
【０００３】
この種のパチンコ機において、通常、変動表示中に更に別の球が始動口に入賞した場合には、その入賞口についての変動表示は保留されるようになっている。ただし、保留球数は、通常、所定の上限値（例えば、４個）が設定され、これを超えて保留されないようになっている場合が多い。
【０００４】
このような従来のパチンコ機において、保留球数が保留上限値に達する（以下、「保留球満タン状態」という）と、球の発射を休止するという、いわゆる「止め打ち」される場合が多い。その理由は、それ以上始動口に入賞させても、保留球がカウントされず、また始動口入賞による賞球数の利得よりも、発射球の損失の方が多いために、遊技上不利と判断するからである。また、保留球上限の設定がない場合であっても、ある程度保留球数が増えると、同様に「止め打ち」される場合が多い。
【０００５】
このようにして、「止め打ち」されると、パチンコ機の稼動が短時間ながら停止する。しかし、「保留球満タン状態」は、遊技中しばしば発生し、多くの遊技者が「止め打ち」を行うので、ホールにとっては、稼動率低下を招く無視できない行為となっている。
【０００６】
【発明が解決しようとする課題】
本発明は、保留球数が多くなって、遊技者が「止め打ち」するのを効果的に抑制できる遊技機の提供を課題としている。
【０００７】
【課題を解決するための手段】
上記課題を解決するために請求項１の発明は、遊技盤の遊技領域に、遊技球を入賞検出して図柄変動条件を発生し得る始動口と、該始動口での入賞検出条件に基づいて図柄変動表示停止作動を行い得る図柄表示装置及び前記始動口で入賞検出記憶された保留球数を機械的に駆動制御表示し得る保留球数表示装置を装備した複合装置とが配置された遊技機において、
前記複合装置は、
前記遊技盤の遊技領域に装着されて前記図柄表示装置の表面部の前面を左右の両側板と底板と天板とで窓枠状に囲う装置本体と、
該装置本体の左側部及び右側部に形成されて前記遊技領域から流入した遊技球を案内するワープ通路から、前記両側板に開設した球流入口を介して遊技球を前記底板上面の球流路に受入れると共に、該底板の下に位置し且つ底板の中央部の真下に前記始動口を配置した遊技領域に向けて前記遊技球を底板の前縁側から導出するステージと、
該ステージの底板の左側部と右側部とにおいて、前記各側の球流入口から流入する遊技球を底板上に流通可能とした前後方向の間隔を置いた位置で、左右対称の状態にして横長に開口された一対のスリットと、
該一対のスリットに対応して前記底板の下部に組込まれた前記保留球数表示装置とを備えており、
該保留球数表示装置は、
正逆転駆動可能な駆動モータに連結されて所定角度毎に回転される１本のカム軸の左側軸部と右側軸部とに２組のカム片群を左右対称状態で配備した駆動カム装置と、
該駆動カム装置の各組のカム片群に対応して左右対称状態で配備されて前記保留球数を実数値で表示する２組の保留球数表示体群とを備え、
前記駆動カム装置の各組のカム片群では、４個のカム片Ｓ１  〜Ｓ４  が夫々回転方向に亘るカム面角度の大きさが異なる形状に形成され、前記カム軸の左右の外側端位置から内側中央位置に向けてカム面角度の大きいカム片Ｓ１  から小さいカム片Ｓ４  の順序で正回転方向に所定角度ずつの変位状態で離隔並列状に配置され、
前記各組の保留球数表示体群では、保留球の実数値を表示した４本１組の保留球数表示体Ｅ１  〜Ｅ４  が、前記ステージの底板の各スリット毎に左右順列状態で垂立に挿通されると共に、前記各カム片群の各カム片Ｓ１  〜Ｓ４  のカム面にカムフォロー部を当接した状態で上下方向に出没可能に支持されて、前記底板の上面に保留球の実数値が見える高さに突出した各組の各保留球数表示体Ｅ１  〜Ｅ４  で底板上面の前記球流路を前後に仕切ると共に各組の各保留球数表示体Ｅ１  〜Ｅ４  同士の左右の間隔が、底板上面の前記球流路を前後に連絡する拡縮変化可能な開口幅の誘導開口部として構成され、
前記図柄表示装置の図柄変動表示中に前記保留球数が１ずつ加増されることにおいて、前記保留球数表示装置では、駆動モータの正転駆動制御に基づくカム軸の所定角度毎の正回転により、駆動カム装置における左右組のカム片群の両端外側位置のカム片Ｓ１  から内側中央位置のカム片Ｓ４  が所定角度ずつ正回動変位されることに対して、前記左右組の保留球数表示体群では、両端外側位置の保留球数表示体Ｅ１  から内側中央位置の保留球数表示体Ｅ４  が保留球数の実数値を示すものとして順次前記ステージの底板の上面に突出され、左右の突出状態位置の保留球数表示体Ｅ４  同士の間に前記誘導開口部が、前記始動口の直上方位置で遊技球１個のみを通過可能とする開口広さに形成されて、該誘導開口部を通出する遊技球を前記始動口に向けて落下させ得るように設定し、
前記図柄表示装置の図柄変動終了停止毎に前記保留球数が１ずつ減少されることにおいて、前記保留球数表示装置では、駆動モータの逆転駆動制御に基づくカム軸の所定角度毎の逆回動により、駆動カム装置における左右組のカム片群の内側中央位置のカム片Ｓ４  から両端外側位置のカム片Ｓ１  が所定角度ずつ逆回動変位されることに対して、前記左右組の保留球数表示体群では、内側中央位置の保留球数表示体Ｅ４  から両端外側位置の保留球数表示体Ｅ１  が順次前記ステージの底板の下面に完全に没入され、左右の内側端位置の保留球数表示体Ｅ１  〜Ｅ４  同士の左右間に、前記誘導開口部が開口幅を段階的に広く構成されて、該誘導開口部を通出する遊技球を前記遊技領域に落下させ得るように設定したことを特徴としている。
【０００８】
請求項１の発明によれば、保留球数が増えれば増える程、遊技球が入賞口に誘導され易くなって、入賞に対する賞球が得られるので、遊技者による「止め打ち」が抑制或いは防止される。
【０００９】
また、前記遊技機は、前記図柄変動表示部を有する複合装置を備え、前記特定の入賞口は、前記複合装置の直下に配置された前記始動口であって、前記複合装置に、前記誘導開口部と前記可動部材とを設け、前記複合装置に流入した遊技球を前記誘導開口部から前記始動口に向けて放出して誘導する構成であることを特徴としている。
【００１０】
このため、本発明を構成する各要素を有機的に関連付けながら、図柄変動表示部の周りにまとめて配置することができて、遊技者が遊技の進行状態を認識し易くなる効果が奏される。
【００１１】
また、前記遊技機は、保留球数記憶部に記憶された保留球の数を表示する保留球数表示体を備え、該保留球数表示体は、前記可動部材を兼用していることを特徴としている。
【００１２】
このため、保留球数を表示する保留球数表示体が可動部材を兼用しているため、保留球数表示体が移動して遊技球を入賞口に誘導する態様によって、遊技者は、保留球の増加が有利な状態であると直接的に認識するため、「止め打ち」を一層効果的に防止できる。
【００１３】
また、前記保留球数表示体は、個別に数値を表示した複数が個別に昇降可能に配置されて、その上昇位置で前記誘導開口部を縮小するように構成されているので、誘導開口部の拡縮構造が簡単となる。
【００１４】
【発明の実施の形態】
以下、実施形態を挙げて、本発明を更に詳細に説明する。図１は、本発明に係るパチンコ機Ｐの正面図であり、図２は、図１の保留球数表示装置Ｄの部分の拡大図であり、図３（イ）〜（ニ）は、それぞれ図２のイ−イ線〜ニ−ニ線断面図であり、図４は、図２のＸ−Ｘ線断面図であり、図５は、保留球数表示装置Ｄの斜視図であり、図６は、ステージＧを取り外した状態の保留球数表示装置Ｄの斜視図であり、図７は、保留球数表示装置Ｄの作用説明図である。
【００１５】
図１において、パチンコ機Ｐの遊技盤１には、略円形状に配置された誘導レール２の内側の部分で遊技領域３が形成され、該遊技領域３の略中央部には、複合装置Ａが配置され、該複合装置Ａの上端両隅部の斜上方と、左下端隅部の側方との計３箇所には、それぞれ回転風車４が設けられている。また、複合装置Ａの高さ方向の略中央の左側方には、遊技球が通過するゲート５が設けられている。
【００１６】
また、前記複合装置Ａの左右方向の中央部の直下には、始動口６が配設され、該始動口６の直下には、アタッカー装置７が配設され、該アタッカー装置７には、手前側に傾動して開口する開閉板８が取付けられていて、通常の遊技状態では、前記開閉板８は閉じて、前記アタッカー装置７に設けられた大入賞口（図示せず）を塞いだ状態となっていると共に、後述の特定遊技状態においては、前記開閉板８が手前側に傾動して、流下する遊技球が前記大入賞口に入り易い状態となる。また、前記アタッカー装置７の両側には、それぞれ２個ずつの一般入賞口９が設けられている。なお、図１において、１１は、遊技領域３内に遊技球を発射させるための発射ハンドルを示す。
【００１７】
また、遊技領域３の中央部に配設された前記複合装置Ａは、液晶による特別図柄表示装置１２、該特別図柄表示装置１２の図柄の変動中において前記始動口６に入賞した遊技球の個数を表示する複数（実施例では８個）の保留球数表示装置Ｄ、前記複合装置Ａ内に流入した遊技球を通過させるために、該複合装置Ａ内に外部から視認できない状態で設けられたワープ通路（図示せず）等を備えている。
【００１８】
そして、遊技領域３に放たれた遊技球が始動口６に入賞すると、前記特別図柄表示装置１２の図柄が変動を開始して、停止していた図柄が特定の組み合わせ（例えば、７，７，７）となった場合には、特定遊技状態となって、前記アタッカー装置７の開閉板８が手前側に傾動して、大入賞口が開いた状態となる。この開閉板８は、所定時間経過（例えば、３０秒）、或いは所定個数（例えば、１０個）入賞のいずれかに至るまで、開いた状態を維持するようになっており、一定の条件下において、前記開閉板８が閉じた後に、再度開いた状態となって、所定回数繰り返される。
【００１９】
また、図２及び図４に示されるように、前記特別図柄表示装置１２の前面の表面部１２ａと、前記遊技盤１の表面との間には、大きな空間部１３が形成されており、該空間部１３の下半部の周縁部に保留球数表示装置Ｄが配設されていると共に、その上半部の周縁部は、装飾部材１４で覆われている。
【００２０】
また、図２ないし図６に示されるように、前記装飾部材１４の下方には、受け入れた遊技球２０を前方に放出するまで遊ばせるステージＧが形成されている。該ステージＧには、該ステージＧの底板２１に設けられた２本のスリット２２に対して出没可能なように挿入された２組の保留球数表示体群Ｅと、該保留球数表示体群Ｅを構成する各保留球数表示体Ｅ１〜Ｅ４を個別に上下動させるための駆動カム装置Ｃとを備えた保留球数表示装置Ｄが設けられている。前記ステージＧの底板２１には、２本のスリット２２が同一直線上に配置されて横方向（左右方向）に設けられていると共に、その両側板２３には、ワープ通路（図示せず）から前記空間部１３に流入する遊技球の球流入口２４がそれぞれ設けられている。また、図２ないし図４に示されるように、ステージＧの底板２１における左右一対のスリット２２よりも後方の部分は、左右方向の両端部から、その中央部に向けて徐々に低くなるように傾斜していると共に、ステージＧの底板２１における左右一対のスリット２２よりも前方の部分は、手前側が低くなるように傾斜している。
【００２１】
また、各保留球数表示体群Ｅは、いずれも４本の保留球数表示体Ｅ１〜Ｅ４で構成されて、各保留球数表示体Ｅ１〜Ｅ４は、いずれも下端部にカムフォロワー部２５が設けられていると共に、その上端部に保留球数表示面２６が設けられて、該保留球数表示面２６にそれぞれ「１」，「２」，「３」，「４」の保留球数を表示する数字が表示された構成である。そして、ステージＧの底板２１に設けられた各スリット２２に、それぞれ保留球数表示体群Ｅを構成する４本で１組の保留球数表示体Ｅ１〜Ｅ４の保留球数表示面２６が出没可能となるように挿入されている。２組の保留球数表示体群Ｅは、いずれもステージＧの左右の端部から中央部に向けて、保留球数表示面２６に表示された数字が大きくなるように配置されている。
【００２２】
また、駆動カム装置Ｃは、図２ないし図６に示されるように、カム軸３１に、４個の異なる形状の各カム片Ｓ１〜Ｓ４から成る２組のカム片群Ｓが一体に固定された構成である。図７（イ）〜（ホ）に示されているように、各カム片Ｓ１〜Ｓ４は、カム軸３１の正回転によって、前記各カム片Ｓ１〜Ｓ４にカムフォロワー部２５が当接している各保留球数表示体Ｅ１〜Ｅ４が、この順序（保留球数表示面２６に表示された数字の順序）で上昇して、前記ステージＧの底板２１の上面に突出すると共に、カム軸３１の逆回転によって、各保留球数表示体Ｅ１〜Ｅ４が、上記と逆の順序で下降して、前記ステージＧの底板２１の上面から没するように構成されている。
【００２３】
即ち、各カム片Ｓ１〜Ｓ４は、円板の一部を扇形に欠落させた形状になっていて、その欠落角度が、保留球数表示面２６に表示された数字が大きくなる程、大きくなっている。また、各カム片Ｓ１〜Ｓ４が全てステージＧの底板２１の上面に突出した後においては、前記カム軸３１を同一方向に回転させると仮定した場合（現実には、このようなことはない）には、一斉に下降するように、前記扇形の欠落部の一方の位相は、同一となるように、各カム片Ｓ１〜Ｓ４は、カム軸３１に固定されている。また、各保留球数表示体Ｅ１〜Ｅ４は、その下端部のカムフォロワー部２５が、各カム片Ｓ１〜Ｓ４にそれぞれ当接支持されていると共に、その上端部の保留球数表示面２６、或いはその下端の連結部２７が、ステージＧの底板２１に設けられたスリット２２に挿入支持されることにより、常に垂直姿勢を維持しながら昇降して、ステージＧの底板２１に対して出没する構成となっている。また、図７に示されるように、カム軸３１は、その一端に取付けられたモータＭによって、設定角度ずつ回転される。なお、図４において、４１，４２は、それぞれチューリップ構造の前記始動口６を構成する各チューリップ片を開閉するソレノイド及びラック・ピニオン機構を示し、４３は、ガラス板を示す。
【００２４】
そして、通常の遊技状態では、保留球数表示装置Ｄは、図７（イ）及び図８に示されるように、２組の保留球数表示体群Ｅの各保留球数表示体Ｅ１〜Ｅ４は、全てステージＧの底板２１よりも下方に配置されていて、複合装置Ａ内のワープ通路を通って、ステージＧの球流入口２４から前記空間部１３（或いはステージＧの底板２１上）に流入した遊技球２０は、前記底板２１上のほぼ任意の経路を通って、前記底板２１の手前側の端部から遊技盤１上に落下し、そのうち、特定の経路を通った遊技球２０のみが、前記複合装置Ａの横方向の中央部の直下に配置された始動口６に入賞する。
【００２５】
このように、各保留球数表示体Ｅ１〜Ｅ４の全てがステージＧの底板２１よりも下方に配置された通常の遊技状態では、前記球流入口２４からステージＧの底板２１上に流入した遊技球２０を前記始動口６に誘導する誘導開口部３２が最も広くなっていて、前記始動口６に遊技球２０が入賞する確率は、最も低くなっている。上記した通常の遊技状態において、始動口６に遊技球２０が入賞すると、前記特別図柄表示装置１２の図柄が変動を開始して、上記した特定遊技状態になると、アタッカー装置７が作動する。
【００２６】
そして、前記特別図柄表示装置１２の図柄の変動表示中において、始動口６に遊技球２０が入賞すると、モータＭによってカム軸３１が設定角度だけ回動されて、駆動カム装置Ｃによって、２組の保留球数表示体群Ｅを構成する最も外側の２本の保留球数表示体Ｅ１のみが上昇させられて、その保留球数表示面２６が、ステージＧの底板２１よりも上方に突出して、遊技者は、その時点の「保留球数」が「１」であることが直接的に強く認識できる。これにより、保留球数表示面２６がステージＧの底板２１よりも上方に突出した左右両端の２本の保留球数表示体Ｅ１の部分から手前側に遊技球２０が通過する経路が遮断されて、前記誘導開口部３２が狭められる。よって、遊技球２０が始動口６に入賞する確率は、特別図柄変動装置１２が停止している通常の遊技状態よりも僅かに高くなる。
【００２７】
図９は、「保留球数」が「１」であって、しかも前記特別図柄表示装置１２の図柄が変動表示中において、始動口６に遊技球２０が入賞して、駆動カム装置Ｃの作動により、２組の保留球数表示体群Ｅを構成する外側から２番目の保留球数表示体Ｅ２が上昇させられて、左右にそれぞれ２本ずつの保留球数表示体Ｅ１ ，Ｅ２が突出した状態である。図９に示される状態における「保留球数」は「２」であって、「保留球数」が「１」の場合に比較して、誘導開口部３２が狭くなっている分だけ、ステージＧの底板２１上の遊技球２０は、始動口６に入賞し易くなるために、入賞確率が高くなる。
【００２８】
そして、図１０は、「保留球数」が「４」である「保留球満タン状態」であって、２組の保留球数表示体群Ｅを構成する全ての保留球数表示体Ｅ１〜Ｅ４がステージＧの底板２１上に上昇している。この「保留球満タン状態」においては、球流入口２４からステージＧの底板２１上に流入した遊技球２０の全ては、保留球数表示面２６の表示が「４」である相隣接する２本の保留球数表示体Ｅ４の間の誘導開口部３２を通って、遊技盤１上に落下する。ここで、２本の保留球数表示体Ｅ４の間の誘導開口部３２を通って遊技盤１上に落下する遊技球２０の大部分は、始動口６に向けて落下するので、該始動口６に対する入賞確率が最も高くなる。
【００２９】
このように、前記特別図柄表示装置１２の図柄が変動表示中においても、「保留球数」が多くなる程、ステージＧの底板２１上に形成される誘導開口部３２が狭くなって、始動口６に入賞し易くなって、そのまま発射を継続すれば、始動口６に入賞し易い状態が維持され、また始動口入賞に対する賞球が継続的に得られて、遊技者に有利であると直接的に認識できる。よって、「保留球数」が徐々に多くなって、最大である「保留球満タン状態」に至っても、遊技者は、遊技球の発射を継続する意欲を失わないので、「止め打ち」を効果的に抑制、或いは防止できる。
【００３０】
また、保留球が存在している状態において、前記特別図柄表示装置１２が新たに作動して、図柄の変動を開始する毎に、前記駆動カム装置Ｃのカム軸３１が上記と逆方向に回転して、最大の「保留球数」を表示している保留球数表示体Ｅ４  （Ｅ３〜Ｅ１）が１本ずつ下降して、前記誘導開口部３２が広くなる。
【００３１】
特に、上記実施形態では、保留球数を表示する保留球数表示体は、遊技球が始動口に向けて放出されるように誘導する誘導開口部３２を拡縮する可動部材を兼用しているために、保留球数の増加が遊技者にとって有利な状態であることが直接的に認識されるために、「止め打ち」防止の効果が多大である。
【００３２】
また、上記実施形態では、保留球数の最大、即ち「保留球満タン状態」を「４」としているが、保留球数の最大をこれに限定するものではなく、４以下、或いは４以上でもよく、極端な場合には、保留球数の最大の制限がない場合であってもよい。
【００３３】
【発明の効果】
本発明に係る遊技機は、特定の入賞口の上方に、遊技球を通過させて前記入賞口に誘導する誘導開口部が設けられ、該誘導開口部が縮小するほど前記入賞口に遊技球が入賞し易いように、前記誘導開口部を可動部材で拡縮させて前記入賞口への入賞確率を変化させると共に、前記可動部材は、前記保留球数記憶部に記憶された保留球数が増加するほど前記誘導開口部を縮小させるように移動する構成であって、保留球数が多くなる程、遊技者にとって有利な遊技状態となるので、保留球数が多くなって、遊技者が「止め打ち」するのを効果的に抑制できる。
【００３４】
特に、前記遊技機は、前記保留球数記憶部に記憶された保留球の数を表示する保留球数表示体を備え、該保留球数表示体は、前記可動部材を兼用している構成にすると、保留球数の増加が遊技者にとって有利な状態であることが直接的に認識できて、「止め打ち」を一層効果的に防止できる。
【図面の簡単な説明】
【図１】本発明に係るパチンコ機Ｐの正面図である。
【図２】図１の保留球数表示装置Ｄの部分の拡大図である。
【図３】（イ）〜（ニ）は、それぞれ図２のイ−イ線〜ニ−ニ線断面図である。
【図４】図２のＸ−Ｘ線断面図である。
【図５】保留球数表示装置Ｄの斜視図である。
【図６】ステージＧを取り外した状態の保留球数表示装置Ｄの斜視図である。
【図７】保留球数表示装置Ｄの作用説明図である。
【図８】（イ），（ロ）は、「保留球数」が「０」の状態における保留球数表示装置Ｄの模式的正面図、及び平面図である。
【図９】（イ），（ロ）は、「保留球数」が「２」の状態における保留球数表示装置Ｄの模式的正面図、及び平面図である。
【図１０】（イ），（ロ）は、「保留球数」が「４」の状態（保留球満タン状態）における保留球数表示装置Ｄの模式的正面図、及び平面図である。
【符号の説明】
Ａ：複合装置
Ｃ：駆動カム装置
Ｄ：保留球数表示装置
Ｅ１〜Ｅ４：保留球数表示体
Ｇ：ステージ
Ｍ：モータ
Ｐ：パチンコ機（遊技機）
Ｓ：カム群
Ｓ１〜Ｓ４：カム片
１：遊技盤
３：遊技領域
６：始動口
１２：特別図柄表示装置
１２ａ：表面部
２０：遊技球
２１：底板
２２：スリット
２３：側板
２４：球流入口
２５：カムフォロー部
２６：保留球数表示面
３１：カム軸
３２：誘導開口部
【図１】
0004431776.tif 000002
【図２】
0004431776.tif 000003
【図３】
0004431776.tif 000004
【図４】
0004431776.tif 000005
【図５】
0004431776.tif 000006
【図６】
0004431776.tif 000007
【図７】
0004431776.tif 000008
【図８】
0004431776.tif 000009
【図９】
0004431776.tif 000010
【図１０】
0004431776.tif 000011